(57)【要約】【課題】  なし【解決手段】  本開示は、複数の周波数サブチャネルのそれぞれに適用する負荷および変調を、こうしたサブチャネルに生じる予想の減衰に基づいて変更することに関する。データを通信することが、少なくとも２つのサブチャネルを含む広帯域通信用の伝送媒体の静的コンポーネントを識別すること、その静的コンポーネントについて、周波数に対するノイズまたは減衰の関数を決定すること、決定された関数に基づいて、サブチャネル用の広帯域変調方式を選択すること、およびサブチャネルを介してデータ信号を伝達することを含む。サブチャネルのうちの少なくとも２つに、それぞれ独立した復調関数を適用することができる。
2005531163.tif 000002
【特許請求の範囲】
【請求項１】
データを通信するための方法であって：
少なくとも２つのサブチャネルを含む、広帯域通信用の伝送媒体の静的コンポーネントを識別すること；
静的コンポーネントについて、周波数に対するノイズまたは減衰の関数を決定すること；
決定された関数に基づいて、サブチャネル用の広帯域変調方式を選択すること；および
サブチャネルを介してデータ信号を伝達することを含む方法。
【請求項２】
選択された広帯域変調方式を、各サブチャネルにそれぞれ独立して適用することをさらに含む、請求項１に記載の方法。
【請求項３】
選択された広帯域変調方式をそれぞれ独立して適用することが、選択された変調方式を適用するために、各サブチャネルごとに別個の変調装置を使用することを含む、請求項２に記載の方法。
【請求項４】
静的コンポーネントを識別することが、各サブチャネルに関する静的コンポーネントをそれぞれ独立して識別することを含み；
関数を決定することが、各サブチャネルの静的コンポーネントについて、周波数に対するノイズまたは減衰の関数を決定することを含み；
広帯域変調方式を選択することが、各サブチャネルのスループットを最適化するために、各サブチャネルに関して決定された関数に基づいて、広帯域変調方式を選択することを含む、請求項１に記載の方法。
【請求項５】
関数を決定することが、フレームの時間間隔以外の時間間隔で周波数に対するノイズまたは減衰を測定すること、およびその測定に基づいて静的コンポーネントの周波数に対するノイズまたは減衰の関数を決定することを含み；
広帯域変調方式を選択することが、測定時に、決定された関数に基づいて広帯域変調方式を選択することを含む、請求項１に記載の方法。
【請求項６】
関数を決定することが、静的コンポーネントの周波数に対するノイズまた減衰の関数を、ある期間で平均することを含む、請求項１に記載の方法。
【請求項７】
静的コンポーネントが、周波数の比較的に静的な関数としてノイズを含む、請求項１に記載の方法。
【請求項８】
静的コンポーネントが、周波数の比較的に静的な関数として減衰を含む、請求項１に記載の方法。
【請求項９】
静的コンポーネントが、周波数の比較的に静的な関数としてノイズおよび減衰を含む、請求項１に記載の方法。
【請求項１０】
広帯域通信用の伝送媒体の動的コンポーネントを識別すること；
動的コンポーネントに基づいて適応フィルタを生成すること；および
受信側の伝達されたデータ信号に適応フィルタをかけることをさらに含む、請求項１に記載の方法。
【請求項１１】
適応フィルタをかけることが、広帯域通信用の各サブチャネル上の伝達されたデータ信号に、適応フィルタをかけることを含む、請求項１０に記載の方法。
【請求項１２】
適応フィルタがノイズ・フィルタを含む、請求項１０に記載の方法。
【請求項１３】
適応フィルタがチャネル・フィルタを含む、請求項１０に記載の方法。
【請求項１４】
適応フィルタが周波数ドメイン等化器を含む、請求項１０に記載の方法。
【請求項１５】
静的コンポーネントが、動的コンポーネントと比較して静的である、請求項１０に記載の方法。
【請求項１６】
動的コンポーネントが、周波数の関数として変化するノイズを含む、請求項１０に記載の方法。
【請求項１７】
動的コンポーネントが、周波数の関数として変化する減衰を含む、請求項１０に記載の方法。
【請求項１８】
動的コンポーネントが、周波数の関数として変化するノイズおよび減衰を含む、請求項１０に記載の方法。
【請求項１９】
静的コンポーネントに基づくチャネル・フィルタの要素を平均することによって、チャネル・フィルタを生成すること；および
受信側の伝達されたデータ信号に、チャネル・フィルタをかけることをさらに含む、請求項１に記載の方法。
【請求項２０】
静的コンポーネントに基づくノイズ・フィルタの要素を平均することによって、ノイズ・フィルタを生成すること；および
受信側の伝達されたデータ信号に、ノイズ・フィルタをかけることをさらに含む、請求項１に記載の方法。
【請求項２１】
静的コンポーネントに基づく周波数ドメイン等化器の要素を平均することによって、周波数ドメイン等化器を生成すること；および
受信側の伝達されたデータ信号に、周波数ドメイン等化器をかけることをさらに含む、請求項１に記載の方法。
【請求項２２】
周波数に対するノイズの関数を平均することによってフィルタを生成すること；および
受信側の伝達されたデータ信号に、そのフィルタをかけることをさらに含む、請求項１に記載の方法。
【請求項２３】
周波数に対する減衰の関数を平均することによってフィルタを生成すること；および
受信側の伝達されたデータ信号に、そのフィルタをかけることをさらに含む、請求項１に記載の方法。
【請求項２４】
周波数に対するノイズおよび減衰の関数を平均することによってフィルタを生成すること；および
受信側の伝達されたデータ信号に、そのフィルタをかけることをさらに含む、請求項１に記載の方法。
【請求項２５】
サブチャネルのうちの少なくとも２つについて、それぞれ独立した復調関数を適用することをさらに含む、請求項１に記載の方法。
【請求項２６】
それぞれ独立した復調関数を適用することが、復調関数を適用するために、前記少なくとも２つのサブチャネルについて別個の復調装置を使用することを含む、請求項２５に記載の方法。
【請求項２７】
それぞれ独立した復調関数を適用することが、前記少なくとも２つのサブチャネルについて、別個の復調アルゴリズムを適用することを含む、請求項２５に記載の方法。
【請求項２８】
広帯域変調方式を選択することが、各サブチャネル間の直交性を最適化するために、前記少なくとも２つのサブチャネルについて、広帯域変調方式を選択することを含む、請求項１に記載の方法。
【請求項２９】
変調方式が、オフセット直交振幅変調（ＯＱＡＭ：offset quadrature amplitude modulation）方式を含む、請求項２８に記載の方法。
【請求項３０】
フレーム長および再送レートに基づいて、順方向誤り訂正コードを選択することをさらに含む、請求項１に記載の方法。
【請求項３１】
誤り検出のレベルおよび再送レートを決定するために、誤り検出コードを選択することをさらに含む、請求項１に記載の方法。
【請求項３２】
新しいデータに、伝送媒体を介して通信された以前に送信されたデータの再送に対する応答を付加することをさらに含む、請求項１に記載の方法。
【請求項３３】
新しいデータに付加することが、新しいデータに、再送を必要とするデータ・ブロックを付加することを含む、請求項３２に記載の方法。
【請求項３４】
新しいデータに、伝送媒体を介して通信された以前に送信されたデータの正確な受信に対する応答を付加することをさらに含む、請求項１に記載の方法。
【請求項３５】
伝送媒体が、通信事業者の設備から、ユーザ構内アクセス・ポイントの電話銅線の終端までの電話銅線を含む、請求項１に記載の方法。
【請求項３６】
伝送媒体が、通信事業者の設備から、複数テナント施設および複数住居の建物内のケーブル・ライザまでの電話銅線を含む、請求項１に記載の方法。
【請求項３７】
データを通信するための方法であって：
第１チャネル上の第１送信機で、第２送信機による第２チャネルを介した通信の状態を検出すること；および
第１送信機による送信を、検出された状態に基づいて第２送信機による送信と同期させることを含む方法。
【請求項３８】
第１チャネルが第１ワイヤを含み、第２チャネルが第１ワイヤとは異なる第２ワイヤを含む、請求項３７に記載の方法。
【請求項３９】
通信の状態を検出することが、受信状態を検出することを含む、請求項３７に記載の方法。
【請求項４０】
通信の状態を検出することが、送信状態を検出することを含む、請求項３７に記載の方法。
【請求項４１】
第１チャネルおよび第２チャネルが、通信事業者の設備から、ユーザ構内アクセス・ポイントの電話銅線の終端までの電話銅線内に含まれる、請求項３７に記載の方法。
【請求項４２】
第１チャネルおよび第２チャネルが、通信事業者の設備から、複数テナント施設および複数住居の建物内のケーブル・ライザまでの電話銅線内に含まれる、請求項３７に記載の方法。
【請求項４３】
データを通信するための方法であって：
放出の低減が必要な広帯域通信チャネルの周波数を識別すること；および
識別された周波数の放出を低減するために、送信された信号に、デジタル周波数ドメイン・フィルタをかけることを含む方法。
【請求項４４】
広帯域通信チャネルが、通信事業者の設備から、ユーザ構内アクセス・ポイントの電話銅線の終端までの電話銅線を含む通信媒体上にある、請求項４３に記載の方法。
【請求項４５】
広帯域通信チャネルが、通信事業者の設備から、複数テナント施設および複数住居の建物内のケーブル・ライザまでの電話銅線を含む通信媒体上にある、請求項４３に記載の方法。
【請求項４６】
周波数を識別することが、放出低減のための規制機関によって識別された周波数を識別することを含む、請求項４３に記載の方法。
【請求項４７】
周波数を識別することが、他の装置または通信に干渉する周波数を識別することを含む、請求項４３に記載の方法。
【請求項４８】
少なくとも２つのサブチャネルを含む広帯域通信用の伝送媒体の静的コンポーネントを識別し、静的コンポーネントの周波数に対するノイズまたは減衰の関数を決定し、決定された関数に基づいてサブチャネル用の広帯域変調方式を選択するように構成され調整された（structure and arrange）プロセッサ・モジュールと；
サブチャネルを介してデータ信号を伝達するように構成され調整された送信モジュールとを含む、データを通信するためのシステム。
【請求項４９】
選択された広帯域変調方式を各サブチャネルにそれぞれ独立して適用するように構成され調整された、１つまたは複数の変調装置を備える変調装置モジュールをさらに含む、請求項４８に記載のシステム。
【請求項５０】
変調装置モジュールが、選択された変調方式を適用するために、各サブチャネルごとに別個の変調装置を用いる、請求項４９に記載のシステム。
【請求項５１】
プロセッサが：
各サブチャネルに関する静的コンポーネントをそれぞれ独立して識別し；
各サブチャネルの静的コンポーネントについて、周波数に対するノイズまたは減衰の関数を決定し；
各サブチャネルのスループットを最適化するために、各サブチャネルに関して決定された関数に基づいて広帯域変調方式を決定するように構成され調整される、請求項４８に記載のシステム。
【請求項５２】
プロセッサが：
フレームの時間間隔以外の時間間隔で、周波数対ノイズまたは減衰を測定し、その測定に基づいて、静的コンポーネントの周波数に対するノイズまたは減衰の関数を決定し；
測定時に、決定された関数に基づいて広帯域変調方式を選択するように構成され調整される、請求項４８に記載のシステム。
【請求項５３】
プロセッサが、静的コンポーネントの周波数に対するノイズまたは減衰の関数を、ある期間で平均するように構成され調整される、請求項４８に記載のシステム。
【請求項５４】
静的コンポーネントが、周波数の比較的に静的な関数としてノイズを含む、請求項４８に記載のシステム。
【請求項５５】
静的コンポーネントが、周波数の比較的に静的な関数として減衰を含む、請求項４８に記載のシステム。
【請求項５６】
静的コンポーネントが、周波数の比較的に静的な関数としてノイズおよび減衰を含む、請求項４８に記載のシステム。
【請求項５７】
プロセッサが、広帯域通信用の伝送媒体の動的コンポーネントを識別するように構成され調整されるシステムであって：
動的コンポーネントに基づいて生成され、受信側の伝達されたデータ信号にかけられる適応フィルタをさらに含む、請求項４８に記載のシステム。
【請求項５８】
適応フィルタが、広帯域通信用の各サブチャネル上の伝達されたデータ信号にかけられる、請求項５７に記載のシステム。
【請求項５９】
適応フィルタがノイズ・フィルタを含む、請求項５７に記載のシステム。
【請求項６０】
適応フィルタがチャネル・フィルタを含む、請求項５７に記載のシステム。
【請求項６１】
適応フィルタが周波数ドメイン等化器を含む、請求項５７に記載のシステム。
【請求項６２】
静的コンポーネントが動的コンポーネントと比較して静的である、請求項５７に記載のシステム。
【請求項６３】
動的コンポーネントが、周波数の関数として変化するノイズを含む、請求項５７に記載のシステム。
【請求項６４】
動的コンポーネントが、周波数の関数として変化する減衰を含む、請求項５７に記載のシステム。
【請求項６５】
動的コンポーネントが、周波数の関数として変化するノイズおよび減衰を含む、請求項５７に記載のシステム。
【請求項６６】
静的コンポーネントに基づくチャネル・フィルタの要素を平均することによって生成され、受信側の伝達されたデータ信号にかけられるチャネル・フィルタをさらに含む、請求項４８に記載のシステム。
【請求項６７】
静的コンポーネントに基づくノイズ・フィルタの要素を平均することによって生成され、受信側の伝達されたデータ信号にかけられるノイズ・フィルタをさらに含む、請求項４８に記載のシステム。
【請求項６８】
静的コンポーネントに基づく周波数ドメイン等化器の要素を平均することによって生成され、受信側の伝達されたデータ信号にかけられる周波数ドメイン等化器をさらに含む、請求項４８に記載のシステム。
【請求項６９】
周波数に対するノイズの関数を平均することによって生成され、受信側の伝達されたデータ信号にかけられるフィルタをさらに含む、請求項４８に記載のシステム。
【請求項７０】
周波数に対する減衰の関数を平均することによって生成され、受信側の伝達されたデータ信号にかけられるフィルタをさらに含む、請求項４８に記載のシステム。
【請求項７１】
周波数に対するノイズおよび減衰の関数を平均することによって生成され、受信側の伝達されたデータ信号にかけられるフィルタをさらに含む、請求項４８に記載のシステム。
【請求項７２】
前記サブチャネルのうちの少なくとも２つについて、それぞれ独立した復調関数を適用するように構成され調整される、１つまたは複数の復調装置を備える復調装置モジュールをさらに含む、請求項４８に記載のシステム。
【請求項７３】
復調装置モジュールが、復調関数を適用するために、前記少なくとも２つのサブチャネルについて別個の復調装置を使用するように構成され調整される、請求項７２に記載のシステム。
【請求項７４】
復調装置モジュールが、前記少なくとも２つのサブチャネルについて、別個の復調アルゴリズムを適用するように構成され調整される、請求項７２に記載のシステム。
【請求項７５】
プロセッサが、各サブチャネル間の直交性を最適化するために、前記少なくとも２つのサブチャネルについて広帯域変調方式を選択するように構成され調整される、請求項４８に記載のシステム。
【請求項７６】
変調方式が、オフセット直交振幅変調（ＯＱＡＭ：offset quadrature amplitude modulation）方式を含む、請求項７５に記載のシステム。
【請求項７７】
フレーム長および再送レートに基づいて、順方向誤り訂正コードを選択するように構成され調整される誤り訂正モジュールをさらに含む、請求項４８に記載のシステム。
【請求項７８】
誤り検出のレベルおよび再送レートを決定するために、誤り検出コードを選択するように構成され調整される誤り検出モジュールをさらに含む、請求項４８に記載のシステム。
【請求項７９】
プロセッサが、新しいデータに、伝送媒体を介して通信された以前に送信されたデータの再送に対する応答を付加するように構成され調整される、請求項４８に記載のシステム。
【請求項８０】
プロセッサが、新しいデータに、再送を必要とするデータ・ブロックを付加するように構成され調整される、請求項７９に記載のシステム。
【請求項８１】
プロセッサが、新しいデータに、伝送媒体を介して通信された以前に送信されたデータの正確な受信に対する応答を付加するように構成され調整される、請求項４８に記載のシステム。
【請求項８２】
伝送媒体が、通信事業者の設備から、ユーザ構内アクセス・ポイントの電話銅線の終端までの電話銅線を含む、請求項４８に記載のシステム。
【請求項８３】
伝送媒体が、通信事業者の設備から、複数テナント施設および複数住居の建物内のケーブル・ライザまでの電話銅線を含む、請求項４８に記載のシステム。
【請求項８４】
データを通信するためのシステムであって：
第１チャネル上にある第１送信機と；
第２チャネル上にある第２送信機とを含み、第１送信機が、第２送信機による第２チャネルを介した通信の状態を検出し、第１送信機による送信を、検出された状態に基づいて第２送信機による送信と同期させるように構成され調整されるシステム。
【請求項８５】
第１チャネルが第１ワイヤを含み、第２チャネルが第１ワイヤとは異なる第２ワイヤを含む、請求項８４に記載のシステム。
【請求項８６】
通信の状態が、受信状態を含む、請求項８４に記載のシステム。
【請求項８７】
通信の状態が、送信状態を含む、請求項８４に記載のシステム。
【請求項８８】
第１チャネルおよび第２チャネルが、通信事業者の設備から、ユーザ構内アクセス・ポイントの電話銅線の終端までの電話銅線内に含まれる、請求項８４に記載のシステム。
【請求項８９】
第１チャネルおよび第２チャネルが、通信事業者の設備から、複数テナント施設および複数住居の建物内のケーブル・ライザまでの電話銅線内に含まれる、請求項８４に記載のシステム。
【請求項９０】
データを通信するためのシステムであって；
放出の低減が必要な広帯域通信チャネルの周波数を識別するように構成され調整されるプロセッサと；
識別された周波数の放出を低減するために、送信された信号にかけられるデジタル周波数ドメイン・フィルタとを含むシステム。
【請求項９１】
広帯域通信チャネルが、通信事業者の設備から、ユーザ構内アクセス・ポイントの電話銅線の終端までの電話銅線を含む通信媒体上にある、請求項９０に記載のシステム。
【請求項９２】
広帯域通信チャネルが、通信事業者の設備から、複数テナント施設および複数住居の建物内のケーブル・ライザまでの電話銅線を含む通信媒体上にある、請求項９０に記載のシステム。
【請求項９３】
識別された周波数が、放出低減のための規制機関によって識別された周波数を含む、請求項９０に記載のシステム。
【請求項９４】
識別された周波数が、他の装置または通信に干渉する周波数を含む、請求項９０に記載のシステム。
【請求項９５】
データを通信するためのシステムであって：
少なくとも２つのサブチャネルを含む、広帯域通信用の伝送媒体の静的コンポーネントを識別する手段と；
静的コンポーネントについて、周波数に対するノイズまたは減衰の関数を決定する手段と；
決定された関数に基づいて、サブチャネル用の広帯域変調方式を選択する手段と；
サブチャネルを介してデータ信号を伝達する手段とを含むシステム。
【請求項９６】
選択された広帯域変調方式を、各サブチャネルにそれぞれ独立して適用する手段をさらに含む、請求項９５に記載のシステム。
【請求項９７】
選択された広帯域変調方式をそれぞれ独立して適用する手段が、選択された変調方式を適用するために、各サブチャネルごとに別個の変調装置を使用する手段を含む、請求項９６記載のシステム。
【請求項９８】
静的コンポーネントを識別する手段が、各サブチャネルに関する静的コンポーネントをそれぞれ独立して識別する手段を含み；
関数を決定する手段が、各サブチャネルの静的コンポーネントについて、周波数に対するノイズまたは減衰の関数を決定する手段を含み；
広帯域変調方式を選択する手段が、各サブチャネルのスループットを最適化するために、各サブチャネルに関して決定された関数に基づいて、広帯域変調方式を選択する手段を含む、請求項９５に記載のシステム。
【請求項９９】
関数を決定する手段が、フレームの時間間隔以外の時間間隔で、周波数に対するノイズまたは減衰を測定する手段と、その測定に基づいて、静的コンポーネントの周波数に対するノイズまたは減衰の関数を決定する手段を含み；
広帯域変調方式を選択する手段が、測定時に、決定された関数に基づいて広帯域変調方式を選択する手段を含む、請求項９５に記載のシステム。
【請求項１００】
関数を決定する手段が、静的コンポーネントの周波数に対するノイズまた減衰の関数を、ある期間で平均する手段を含む、請求項９５に記載のシステム。
【請求項１０１】
静的コンポーネントが、周波数の比較的に静的な関数としてノイズを含む、請求項９５に記載のシステム。
【請求項１０２】
静的コンポーネントが、周波数の比較的に静的な関数として減衰を含む、請求項９５に記載のシステム。
【請求項１０３】
静的コンポーネントが、周波数の比較的に静的な関数としてノイズおよび減衰を含む、請求項９５に記載のシステム。
【請求項１０４】
広帯域通信用の伝送媒体の動的コンポーネントを識別する手段と：
動的コンポーネントに基づいて適応フィルタを生成する手段と；
受信側の伝達されたデータ信号に、適応フィルタをかける手段とをさらに含む、請求項９５に記載のシステム。
【請求項１０５】
適応フィルタをかける手段が、広帯域通信用の各サブチャネル上の伝達されたデータ信号に適応フィルタをかける手段を含む、請求項１０４に記載のシステム。
【請求項１０６】
適応フィルタがノイズ・フィルタを含む、請求項１０４に記載のシステム。
【請求項１０７】
適応フィルタがチャネル・フィルタを含む、請求項１０４に記載のシステム。
【請求項１０８】
適応フィルタが周波数ドメイン等化器を含む、請求項１０４に記載のシステム。
【請求項１０９】
静的コンポーネントが動的コンポーネントと比較して静的である、請求項１０４に記載のシステム。
【請求項１１０】
動的コンポーネントが、周波数の関数として変化するノイズを含む、請求項１０４に記載のシステム。
【請求項１１１】
動的コンポーネントが、周波数の関数として変化する減衰を含む、請求項１０４に記載のシステム。
【請求項１１２】
動的コンポーネントが、周波数の関数として変化するノイズおよび減衰を含む、請求項１０４に記載のシステム。
【請求項１１３】
静的コンポーネントに基づくチャネル・フィルタの要素を平均することによって、チャネル・フィルタを生成する手段と；
受信側の伝達されたデータ信号に、チャネル・フィルタをかける手段とをさらに含む、請求項９５に記載のシステム。
【請求項１１４】
静的コンポーネントに基づくノイズ・フィルタの要素を平均することによって、ノイズ・フィルタを生成する手段と；
受信側の伝達されたデータ信号に、ノイズ・フィルタをかける手段とをさらに含む、請求項９５に記載のシステム。
【請求項１１５】
静的コンポーネントに基づく周波数ドメイン等化器の要素を平均することによって、周波数ドメイン等化器を生成する手段と；
受信側の伝達されたデータ信号に、周波数ドメイン等化器をかける手段とをさらに含む、請求項９５に記載のシステム。
【請求項１１６】
周波数に対するノイズの関数を平均することによってフィルタを生成する手段と；
受信側の伝達されたデータ信号に、そのフィルタをかける手段とをさらに含む、請求項９５に記載のシステム。
【請求項１１７】
周波数に対する減衰の関数を平均することによってフィルタを生成する手段と；
受信側の伝達されたデータ信号に、そのフィルタをかける手段とをさらに含む、請求項９５に記載のシステム。
【請求項１１８】
周波数に対するノイズおよび減衰の関数を平均することによってフィルタを生成する手段と；
受信側の伝達されたデータ信号に、そのフィルタをかける手段とをさらに含む、請求項９５に記載のシステム。
【請求項１１９】
サブチャネルのうちの少なくとも２つについて、それぞれ独立した復調関数を適用する手段をさらに含む、請求項９５に記載のシステム。
【請求項１２０】
それぞれ独立した復調関数を適用する手段が、復調関数を適用するために、前記少なくとも２つのサブチャネルについて別個の復調装置を使用する手段を含む、請求項１１９に記載のシステム。
【請求項１２１】
それぞれ独立した復調関数を適用する手段が、前記少なくとも２つのサブチャネルについて、別個の復調アルゴリズムを適用する手段を含む、請求項１１９に記載のシステム。
【請求項１２２】
広帯域変調方式を選択する手段が、各サブチャネル間の直交性を最適化するために、前記少なくとも２つのサブチャネルについて、広帯域変調方式を選択する手段を含む、請求項９５に記載のシステム。
【請求項１２３】
変調方式が、オフセット直交振幅変調（ＯＱＡＭ：offset quadrature amplitude modulation）方式を含む、請求項１２２に記載のシステム。
【請求項１２４】
フレーム長および再送レートに基づいて、順方向誤り訂正コードを選択する手段をさらに含む、請求項９５に記載のシステム。
【請求項１２５】
誤り検出のレベルおよび再送レートを決定するために、誤り検出コードを選択する手段をさらに含む、請求項９５に記載のシステム。
【請求項１２６】
新しいデータに、伝送媒体を介して通信された以前に送信されたデータの再送に対する応答を付加する手段をさらに含む、請求項９５に記載のシステム。
【請求項１２７】
付加する手段が、新しいデータに、再送を必要とするデータ・ブロックを付加する手段を含む、請求項１２６に記載のシステム。
【請求項１２８】
新しいデータに、伝送媒体を介して通信された以前に送信されたデータの正確な受信に対する応答を付加する手段をさらに含む、請求項９５に記載のシステム。
【請求項１２９】
伝送媒体が、通信事業者の設備から、ユーザ構内アクセス・ポイントの電話銅線の終端までの電話銅線を含む、請求項９５に記載のシステム。
【請求項１３０】
伝送媒体が、通信事業者の設備から、複数テナント施設および複数住居の建物内のケーブル・ライザまでの電話銅線を含む、請求項９５に記載のシステム。
【請求項１３１】
データを通信するためのシステムであって：
第１チャネル上の第１送信機で、第２送信機による第２チャネルを介した通信の状態を検出する手段と；
第１送信機による送信を、検出された状態に基づいて第２送信機による送信と同期させる手段とを含むシステム。
【請求項１３２】
第１チャネルが第１ワイヤを含み、第２チャネルが第１ワイヤとは異なる第２ワイヤを含む、請求項１３１に記載のシステム。
【請求項１３３】
通信の状態を検出する手段が、受信状態を検出することを含む、請求項１３１に記載のシステム。
【請求項１３４】
通信の状態を検出する手段が、送信状態を検出する手段を含む、請求項１３１に記載のシステム。
【請求項１３５】
第１チャネルおよび第２チャネルが、通信事業者の設備から、ユーザ構内アクセス・ポイントの電話銅線の終端までの電話銅線内に含まれる、請求項１３１に記載のシステム。
【請求項１３６】
第１チャネルおよび第２チャネルが、通信事業者の設備から、複数テナント施設および複数住居の建物内のケーブル・ライザまでの電話銅線内に含まれる、請求項１３１に記載のシステム。
【請求項１３７】
データを通信するためのシステムであって：
放出の低減が必要な広帯域通信チャネルの周波数を識別する手段と；
識別された周波数の放出を低減するために、送信された信号に、デジタル周波数ドメイン・フィルタをかける手段とを含むシステム。
【請求項１３８】
広帯域通信チャネルが、通信事業者の設備から、ユーザ構内アクセス・ポイントの電話銅線の終端までの電話銅線を含む通信媒体上にある、請求項１３７に記載のシステム。
【請求項１３９】
広帯域通信チャネルが、通信事業者の設備から、複数テナント施設および複数住居の建物内のケーブル・ライザまでの電話銅線を含む通信媒体上にある、請求項１３７に記載のシステム。
【請求項１４０】
周波数を識別する手段が、放出低減のための規制機関によって識別された周波数を識別する手段を含む、請求項１３７に記載のシステム。
【請求項１４１】
周波数を識別する手段が、他の装置または通信に干渉する周波数を識別する手段を含む、請求項１３７に記載のシステム。
【請求項１４２】
コンピュータ読取り可能媒体またはデータを通信するための伝播信号に格納されたコンピュータ・プログラムであって：
コンピュータに、少なくとも２つのサブチャネルを含む広帯域通信用の伝送媒体の静的コンポーネントを識別させ、静的コンポーネントの周波数に対するノイズまたは減衰の関数を決定させ、決定された関数に基づいてサブチャネル用の広帯域変調方式を選択させるプロセッサ・コード・セグメントと；
コンピュータに、サブチャネルを介してデータ信号を伝達させる送信コード・セグメントとを含むコンピュータ・プログラム。
【請求項１４３】
コンピュータに、選択された広帯域変調方式を、各サブチャネルにそれぞれ独立して適用させる変調コード・セグメントをさらに含む、請求項１４２に記載のコンピュータ・プログラム。
【請求項１４４】
変調コード・セグメントが、コンピュータに、選択された変調方式を適用するため、各サブチャネルごとに別個の変調装置を使用させる、請求項１４３に記載のコンピュータ・プログラム。
【請求項１４５】
プロセッサ・コード・セグメントが、コンピュータに：
各サブチャネルに関する静的コンポーネントをそれぞれ独立して識別させ；
各サブチャネルの静的コンポーネントについて、周波数対ノイズまたは減衰の関数を決定させ；
各サブチャネルのスループットを最適化するために、各サブチャネルに関して決定された関数に基づいて広帯域変調方式を選択させる、請求項１４２に記載のコンピュータ・プログラム。
【請求項１４６】
プロセッサ・コード・セグメントが、コンピュータに：
フレームの時間間隔以外の時間間隔で周波数対ノイズまたは減衰を測定させ、その測定に基づいて静的コンポーネントの周波数対ノイズまたは減衰の関数を決定させ；
測定時に、決定された関数に基づいて広帯域変調方式を選択させる、請求項１４２に記載のコンピュータ・プログラム。
【請求項１４７】
プロセッサ・コード・セグメントが、コンピュータに、静的コンポーネントの周波数対ノイズまたは減衰の関数をある期間で平均させる、請求項１４２に記載のコンピュータ・プログラム。
【請求項１４８】
静的コンポーネントが、周波数の比較的に静的な関数としてノイズを含む、請求項１４２に記載のコンピュータ・プログラム。
【請求項１４９】
静的コンポーネントが、周波数の比較的に静的な関数として減衰を含む、請求項１４２に記載のコンピュータ・プログラム。
【請求項１５０】
静的コンポーネントが、周波数の比較的に静的な関数としてノイズおよび減衰を含む、１４２に記載のコンピュータ・プログラム。
【請求項１５１】
プロセッサ・コード・セグメントが、コンピュータに、広帯域通信用の伝送媒体の動的コンポーネントを識別させるコンピュータ・プログラムであって：
コンピュータに、動的コンポーネントに基づいて適応フィルタを生成させ、受信側の伝達されたデータ信号に適応フィルタをかけさせる適応フィルタ・コード・セグメントをさらに含む、請求項１４２に記載のコンピュータ・プログラム。
【請求項１５２】
適応フィルタ・コード・セグメントが、コンピュータに、広帯域通信用の各サブチャネル上の伝達されたデータ信号に適応フィルタをかけさせる、請求項１４２に記載のコンピュータ・プログラム。
【請求項１５３】
適応フィルタがノイズ・フィルタを含む、請求項１５１に記載のコンピュータ・プログラム。
【請求項１５４】
適応フィルタがチャネル・フィルタを含む、請求項１５１に記載のコンピュータ・プログラム。
【請求項１５５】
適応フィルタが周波数ドメイン等化器を含む、請求項１５１に記載のコンピュータ・プログラム。
【請求項１５６】
静的コンポーネントが動的コンポーネントと比較して静的である、請求項１５１に記載のコンピュータ・プログラム。
【請求項１５７】
動的コンポーネントが、周波数の関数として変化するノイズを含む、請求項１５１に記載のコンピュータ・プログラム。
【請求項１５８】
動的コンポーネントが、周波数の関数として変化する減衰を含む、請求項１５１に記載のコンピュータ・プログラム。
【請求項１５９】
動的コンポーネントが、周波数の関数として変化するノイズおよび減衰を含む、請求項１５１に記載のコンピュータ・プログラム。
【請求項１６０】
コンピュータに、静的コンポーネントに基づくチャネル・フィルタの要素を平均することによって、チャネル・フィルタを生成させ、受信側の伝達されたデータ信号に、そのチャネル・フィルタをかけさせるチャネル・フィルタ・コード・セグメントをさらに含む、請求項１４２に記載のコンピュータ・プログラム。
【請求項１６１】
コンピュータに、静的コンポーネントに基づくノイズ・フィルタの要素を平均することによってノイズ・フィルタを生成させ、受信側の伝達されたデータ信号に、そのノイズ・フィルタをかけさせるノイズ・フィルタ・コード・セグメントをさらに含む、請求項１４２に記載のコンピュータ・プログラム。
【請求項１６２】
コンピュータに、静的コンポーネントに基づく周波数ドメイン等化器の要素を平均することによって、周波数ドメイン等化器を生成させ、受信側の伝達されたデータ信号に、その周波数ドメイン等化器をかけさせる周波数ドメイン等化器コード・セグメントをさらに含む、請求項１４２に記載のコンピュータ・プログラム。
【請求項１６３】
コンピュータに、周波数に対するノイズの関数を平均することによってフィルタを生成させ、受信側の伝達されたデータ信号に、フィルタをかけさせるフィルタ・コード・セグメントをさらに含む、請求項１４２に記載のコンピュータ・プログラム。
【請求項１６４】
コンピュータに、周波数に対する減衰の関数を平均することによってフィルタを生成させ、受信側の伝達されたデータ信号に、フィルタをかけさせるフィルタ・コード・セグメントをさらに含む、請求項１４２に記載のコンピュータ・プログラム。
【請求項１６５】
コンピュータに、周波数に対するノイズおよび減衰の関数を平均することによって、フィルタを生成させ、受信側の伝達されたデータ信号に、フィルタをかけさせるフィルタ・コード・セグメントをさらに含む、請求項１４２に記載のコンピュータ・プログラム。
【請求項１６６】
コンピュータに、サブチャネルのうちの少なくとも２つについて、それぞれ独立した復調関数を適用させる復調装置コード・セグメントをさらに含む、請求項１４２に記載のコンピュータ・プログラム。
【請求項１６７】
復調装置コード・セグメントが、コンピュータに、復調関数を適用するために、前記少なくとも２つのサブチャネルについて別個の復調装置を使用させる、請求項１６６に記載のコンピュータ・プログラム。
【請求項１６８】
復調装置コード・セグメントが、コンピュータに、前記少なくとも２つのサブチャネルについて、別個の復調アルゴリズムを適用させる、請求項１６６に記載のコンピュータ・プログラム。
【請求項１６９】
プロセッサ・コード・セグメントが、コンピュータに、各サブチャネル間の直交性を最適化するために、前記少なくとも２つのサブチャネルについて広帯域変調方式を選択させる、請求項１４２に記載のコンピュータ・プログラム。
【請求項１７０】
変調方式が、オフセット直交振幅変調（ＯＱＡＭ：offset quadrature amplitude modulation）方式を含む、請求項１６９に記載のコンピュータ・プログラム。
【請求項１７１】
コンピュータに、フレーム長および再送レートに基づいて順方向誤り訂正コードを選択させる、誤り訂正コード・セグメントをさらに含む、請求項１４２に記載のコンピュータ・プログラム。
【請求項１７２】
コンピュータに、誤り検出のレベルおよび再送レートを決定するために、誤り検出コードを選択させる、誤り検出コード・セグメントをさらに含む、請求項１４２に記載のコンピュータ・プログラム。
【請求項１７３】
プロセッサ・コード・セグメントが、コンピュータに、伝送媒体を介して通信された以前に送信されたデータの再送に対する応答を、新しいデータに付加させる、請求項１４２に記載のコンピュータ・プログラム。
【請求項１７４】
プロセッサ・コード・セグメントが、コンピュータに、再送を必要とするデータ・ブロックを新しいデータに付加させる、請求項１７３に記載のコンピュータ・プログラム。
【請求項１７５】
プロセッサ・コード・セグメントが、コンピュータに、伝送媒体を介して通信された以前に送信されたデータの正確な受信に対する応答を、新しいデータに付加させる、請求項１４２に記載のコンピュータ・プログラム。
【請求項１７６】
伝送媒体が、通信事業者の設備から、ユーザ構内アクセス・ポイントの電話銅線の終端までの電話銅線を含む、請求項１４２に記載のコンピュータ・プログラム。
【請求項１７７】
伝送媒体が、通信事業者の設備から、複数テナント施設および複数住居の建物内のケーブル・ライザまでの電話銅線を含む、請求項１４２に記載のコンピュータ・プログラム。
【請求項１７８】
コンピュータ読取り可能媒体またはデータを通信するための伝播信号に格納されたコンピュータ・プログラムであって：
第１チャネル上にある第１送信機コード・セグメントと；
第２チャネル上にある第２送信機コード・セグメントとを含み、第１送信機コード・セグメントが、コンピュータに、第２送信機コード・セグメントによる第２チャネルを介した通信の状態を検出させ、第１送信機コード・セグメントによる送信を、検出された状態に基づいて第２送信機コード・セグメントによる送信と同期させるコンピュータ・プログラム。
【請求項１７９】
第１チャネルが第１ワイヤを含み、第２チャネルが第１ワイヤとは異なる第２ワイヤを含む、請求項１７８に記載のコンピュータ・プログラム。
【請求項１８０】
通信の状態が受信状態を含む、請求項１７８に記載のコンピュータ・プログラム。
【請求項１８１】
通信の状態が送信状態を含む、請求項１７８に記載のコンピュータ・プログラム。
【請求項１８２】
第１チャネルおよび第２チャネルが、通信事業者の設備から、ユーザ構内アクセス・ポイントの電話銅線の終端までの電話銅線内に含まれる、請求項１７８に記載のコンピュータ・プログラム。
【請求項１８３】
第１チャネルおよび第２チャネルが、通信事業者の設備から、複数テナント施設および複数住居の建物内のケーブル・ライザまでの電話銅線内に含まれる、請求項１７８に記載のコンピュータ・プログラム。
【請求項１８４】
コンピュータ読取り可能媒体またはデータを通信するための伝播信号に格納されたコンピュータ・プログラムであって：
コンピュータに、放出の低減が必要な広帯域通信チャネルの周波数を識別させるプロセッサ・コード・セグメントと；
コンピュータに、識別された周波数の放出を低減するために、送信された信号にデジタル周波数ドメイン・フィルタをかけさせる、デジタル周波数ドメイン・フィルタ・コード・セグメントとを含む、コンピュータ・プログラム。
【請求項１８５】
広帯域通信チャネルが、通信事業者の設備から、ユーザ構内アクセス・ポイントの電話銅線の終端までの電話銅線を含む通信媒体上にある、請求項１８４に記載のコンピュータ・プログラム。
【請求項１８６】
広帯域通信チャネルが、通信事業者の設備から、複数テナント施設および複数住居の建物内のケーブル・ライザまでの電話銅線を含む通信媒体上にある、請求項１８４に記載のコンピュータ・プログラム。
【請求項１８７】
識別された周波数が、放出低減のための規制機関によって識別された周波数を含む、請求項１８４に記載のコンピュータ・プログラム。
【請求項１８８】
識別された周波数が、他の装置または通信に干渉する周波数を含む、請求項１８４に記載のコンピュータ・プログラム。
【発明の詳細な説明】
【技術分野】
【０００１】
この文書は、広帯域通信を使用してデータを通信することに関する。
【背景技術】
【０００２】
データ通信において、広帯域伝送を使用することができる。しかし、ノイズおよび周波数に依存したチャネルの減衰によって、受信された信号が損傷を受けることがある。たとえば、伝送される信号のすべての部分が減衰ヌル（attenuation null）になり、極度に減衰されることがある。さらに、符号間の干渉（ＩＳＩ：intersymbol interference）および／またはチャネル間の干渉（ＩＣＩ：interchannel interference）によって、信号が劣化し、ビット誤り率が高くなり、誤り訂正エンジンの影響が弱まることがある。
【発明の開示】
【発明が解決しようとする課題】
【０００３】
広帯域通信を使用したデータ通信方法を提供する。
【課題を解決するための手段】
【０００４】
（要約）
一般的な一態様では、データを通信することが、少なくとも２つのサブチャネルを含む広帯域通信用の伝送媒体の静的コンポーネントを識別することを含む。その静的コンポーネントについて、周波数に対するノイズまたは減衰の関数を決定する。サブチャネル用の広帯域変調方式が、決定された関数に基づいて選択され、データ信号がサブチャネルを介して伝達される。
【０００５】
実装では、以下の特徴の１つまたは複数を含むことができる。たとえば、選択された広帯域変調方式を各サブチャネルにそれぞれ独立して適用することができる。選択された広帯域変調方式を、各サブチャネルごとに別個の変調装置を用いて適用することができる。
【０００６】
一実装では、各サブチャネルに関する静的コンポーネントを、それぞれ独立して識別することができる。各サブチャネルの静的コンポーネントについて、周波数に対するノイズまたは減衰の関数を決定することができる。各サブチャネルのスループットを最適化するために、各サブチャネルに関して決定された関数に基づいて広帯域変調方式を選択することができる。
【０００７】
周波数に対するノイズまたは減衰を、フレームの時間間隔以外の時間間隔で測定することができ、その測定に基づいて、静的コンポーネントについての周波数に対するノイズまたは減衰の関数を決定することができる。測定時に、決定された関数に基づいて広帯域変調方式を選択することができる。静的コンポーネントについて、周波数に対するノイズまたは減衰の関数をある期間で平均することによって、周波数に対するノイズまたは減衰の関数を決定することができる。
【０００８】
静的コンポーネントは、周波数の比較的に静的な関数としてノイズを含んでも、周波数の比較的に静的な関数として減衰を含んでも、周波数の比較的に静的な関数としてノイズおよび減衰を含んでもよい。
【０００９】
広帯域通信用の伝送媒体の動的コンポーネントを識別することができる。その動的コンポーネントに基づいて、適応フィルタを生成することができ、受信側の伝達されたデータ信号に、その適応フィルタをかけることができる。広帯域通信用の各サブチャネル上の伝達されたデータ信号に、適応フィルタをかけることができる。適応フィルタは、ノイズ・フィルタ、チャネル・フィルタおよび／または周波数ドメインの等化器を含むことができる。
【００１０】
静的コンポーネントは、動的コンポーネントと比較して静的であり得る。動的コンポーネントは、周波数の関数として変化するノイズ、周波数の関数として変化する減衰、周波数の関数として変化するノイズおよび減衰を含み得る。
【００１１】
静的コンポーネントに基づくチャネル・フィルタの要素を平均することによって、チャネル・フィルタを生成することができ、受信側の伝達されたデータ信号に、そのチャネル・フィルタをかけることができる。静的コンポーネントに基づくノイズ・フィルタの要素を平均することによって、ノイズ・フィルタを生成することができ、受信側の伝達されたデータ信号に、そのノイズ・フィルタをかけることができる。静的コンポーネントに基づく周波数ドメインの等化器の要素を平均することによって、周波数ドメイン等化器を生成することができ、受信側の伝達されたデータ信号に、その周波数ドメイン等化器をかけることができる。
【００１２】
周波数に対するノイズの関数を平均することによってフィルタを生成することができ、受信側の伝達されたデータ信号に、そのフィルタをかけることができる。周波数に対する減衰の関数を平均することによってフィルタを生成することができ、受信側の伝達されたデータ信号に、そのフィルタをかけることができる。周波数に対するノイズおよび減衰の関数を平均することによってフィルタを生成することができ、受信側の伝達されたデータ信号に、そのフィルタをかけることができる。
【００１３】
サブチャネルのうちの少なくとも２つについて、それぞれ独立した復調関数を適用することができる。別個の復調装置を使用して、そのサブチャネル用の復調関数を適用することができる。別個の復調アルゴリズムを使用して、そのサブチャネル用の復調関数を適用することができる。
【００１４】
少なくとも２つのサブチャネルについて、変調方式を選択して、各サブチャネル間の直交性を最適化することができる。変調方式には、オフセット直交振幅変調（ＯＱＡＭ：offset quadrature amplitude modulation）方式が含まれ得る。
【００１５】
フレームの長さおよび再送レートに基づいて、順方向誤り訂正コードを選択することができる。誤り検出のレベルおよび再送レートを決定するために誤り検出コードを選択することができる。
【００１６】
新しいデータに、伝送媒体を介して（across the transmission medium）通信された、以前に送信されたデータの再送に対する応答を付加することができる。再送を必要とするデータ・ブロックも同様に、新しいデータに付加することができる。伝送媒体を介して伝達された以前に送信されたデータの正確な受信に対する応答を、新しいデータに付加することができる。
【００１７】
伝送媒体は、通信事業者の設備から、ユーザ構内のアクセス・ポイントの電話銅線の終端までの電話銅線を含み得る。伝送媒体は、通信事業者の設備から、複数テナントの施設および複数住居の建物内のケーブル・ライザまでの電話銅線を含み得る。
【００１８】
別の一般的態様では、データを通信することが、第１のチャネル上の第１の送信機上で、第２の送信機による第２のチャネルを介した通信の状態を検出し、その検出された状態に基づいて、第１送信機による送信を、第２送信機による送信と同期させることを含む。
【００１９】
実装では、以下の特徴の１つまたは複数を含むことができる。たとえば、第１チャネルは、第１のワイヤを含むことができ、第２チャネルは、第１ワイヤと異なる第２のワイヤを含むことができる。通信の状態は、受信状態および／または送信状態を含み得る。第１チャネルおよび第２チャネルは、通信事業者の設備から、ユーザ構内アクセス・ポイントの電話銅線の終端までの電話銅線内に含めることができる。第１チャネルおよび第２チャネルは、通信事業者の設備から、複数テナントの施設および複数住居の建物内のケーブル・ライザまでの電話銅線内に含めることができる。
【００２０】
別の一般的態様では、データを通信することが、放出を低減する必要がある広帯域通信チャネルの周波数を識別し、その識別された周波数の放出を低減するために、送信された信号にデジタル周波数ドメイン・フィルタをかけることを含む。
【００２１】
実装では、以下の特徴の１つまたは複数を含むことができる。たとえば、広帯域通信チャネルを、通信事業者の設備から、ユーザ構内アクセス・ポイントの電話銅線の終端までの電話銅線を含む伝送媒体上に置くことができる。広帯域通信チャネルを、通信事業者の設備から、複数テナントの施設および複数住居の建物内のケーブル・ライザまでの電話銅線を含む伝送媒体上に置くことができる。識別される周波数は、放出低減のための規制機関によって識別することができる。識別される周波数は、他の装置または通信に干渉する周波数を含み得る。
【００２２】
こうした一般的および具体的な態様を、システム、方法、コンピュータ・プログラム、またシステム、方法、コンピュータ・プログラムの任意の組合せを使用して実施することができる。
他の機能は、説明および図面、ならびに特許請求の範囲から明らかになろう。
【発明を実施するための最良の形態】
【００２３】
（詳細な説明）
様々な図面内の同じ参照記号は、同様の要素を示し得る。
【００２４】
いくつかの媒体では、周波数の関数としてのノイズと減衰のそれぞれが、静的と動的の両方のコンポーネントを表し得る。静的コンポーネントは一般に、時間およびたぶん場所（それぞれの場所で、ケーブルのタイプおよび長さなど、同じケーブル・パラメータを与えられた場合）に依存しないまたは比較的依存しない、予想可能なまたは平均の関数を指す。たとえば、静的構成であり、長い長さ（数千フィートなど）の伝送媒体（電力線、電話線など）上の一般的な信号減衰は、周波数の増加関数である。周波数に対する信号減衰のこうした平均の静的な関数は、特定のケーブルの型に基づいて予想可能であり得る。同様に、周波数の関数として、典型的な時間に依存しないまたは静的な値であるバックグランド・ノイズがあり得る。静的コンポーネントは、周波数の比較的に静的な関数として、ノイズおよび／または減衰を含み得る。動的コンポーネントは一般的に、たとえば様々な時にまたは場所で、様々な装置またはタップがワイヤに接続されているため、周波数に対するノイズまたは減衰が、時と場所の両方において変化するものを指す。たとえば、所与のタイプおよび長さの特定のケーブルのノイズおよび信号減衰を測定する場合は、静的関数が将来のノイズおよび信号減衰の有用な推定になり得る。こうした推定は、以後の測定を必要とせず、また推定される時間平均の測定値に対応するものになり得る。
【００２５】
伝送媒体は、電力線、電話線、ケーブル線、デジタル加入者線（ＤＳＬ：digital subscriber line）、サービス総合デジタル網（ＩＳＤＮ：integrated service digital network）、無線周波数（ＲＦ：radio frequency）媒体および／または他の伝送媒体を含み得る。例示的な一実装では、伝送媒体は、通信事業者の設備内から、建物および住居の外のアクセス・ポイントまで、複数テナントの施設および複数住居の建物内のケーブル・ライザまで、ならびに建物および住居内の１つまたは複数の終端（termination point）まで、様々なセグメントおよび範囲で識別することができる。
【００２６】
データ通信システムにおいて、特定の位置間で信号を送るためデータ・スループットを増加または最大にすることが望ましいことがある。周波数依存の減衰が生じる、雑音のある媒体用の変調に対する２つの手法は、（１）たとえば、多数の狭帯域サブチャネルからなる直交周波数分割多重（ＯＦＤＭ：orthogonal frequency-division multiplexing）や離散マルチトーン（ＤＭＴ：discrete multitone）などのマルチキャリア変調、または（２）広帯域変調を含む。狭帯域変調には、いくつかの異なる定義特性がある。ある定義特性では、狭帯域は、その周波数帯域内での周波数に対する減衰の相対的変化は小さく、それによってチャネル帯域上の周波数に対する減衰が比較的フラットに見える、変調されたチャネルを示す。別の定義特性では、狭帯域は、キャリア周波数と比べて比較的に狭い帯域の変調されたチャネルを示す。より具体的には、狭帯域では、１つのシンボル間隔が多数のキャリア・サイクル（約５０サイクル超など）を占める。さらに別の定義特性では、狭帯域は、一般に音声情報を伝えるために使用することができる通常５０Ｈｚから６４ｋＨｚまでの周波数のチャネル帯域での伝送を示す。
【００２７】
広帯域変調も同様に、いくつかの異なる定義特性をもつ。ある定義特性では、広帯域は、その周波数帯域内の周波数に対する減衰の相対的変化が大きく、それによってチャネル帯域上での周波数に対する減衰が変化し、比較的フラットに見えない、変調されたチャネルを示す。別の定義特性では、広帯域は、キャリア周波数と比較して広い帯域の変調されたチャネルを示す。より具体的には、広帯域では、１つのシンボル間隔が少数のキャリア・サイクル（約５０サイクル未満など）を占める。さらに別の定義特性では、広帯域は、６４ｋＨｚを超えるチャネル帯域での伝送を示す。
【００２８】
ＯＦＤＭまたはＤＭＴ変調では一般に、多数のサブチャネルを使用するので、それぞれのサブチャネルの帯域が、そのサブチャネルの周波数帯上の減衰またはノイズの変化を最小限に抑えるのに十分なほど狭くなる。すべてのサブチャネルを合わせてシンボルを形成し、このシンボルは、（各サブチャネルの信号速度が狭帯域のように遅い）狭帯域サブチャネルの遅い信号速度に対応するのに十分なほど長い。サブチャネルの信号対ノイズ比（ＳＮＲ：signal-to-noise ratio）を計算することができれば、そのサブチャネルに最適な変調を決定することができる。特定のサブチャネル用のＳＮＲが一般に、どのようにそのサブチャネルにロードするかについて送信機を訓練する（train）ために使用可能になる。データ・スループットを最大にするために、送信機は一般に、各サブチャネルごとのＳＮＲまたは類似の情報で定期的に更新される。こうした更新は一般に、ＳＮＲの時間変化を超える速度での、受信側からの逆送信を用いることによって実施される。たとえば、ノイズまたは減衰の時間変化によって、特定のサブチャネルのパフォーマンスが低下する場合は、そのサブチャネル上のデータ誤り率が高くなる可能性があり、それによって、そのチャネル用のさらに低いＳＮＲで送信機を更新することができるまで、シンボル内のデータを回復する能力が損なわれることがある。その結果、ノイズおよび／または減衰特性の時間変化が大きい場合には、長いシンボル長、および送信機訓練の要件によって、ＯＦＤＭまたはＤＭＴのパフォーマンスが損なわれることがある。
【００２９】
周波数の関数として減衰が大きく変化する（すなわちチャネル周波数の選択度が高い）ことによって、高いデータ・レートを用いたときに、多数のシンボル上に符号間干渉（ＩＳＩ：intersymbol interference）が拡散する場合には、ＯＦＤＭまたはＤＭＴを使用することができる。単一キャリアの広帯域変調には多数のタップが必要なので、単一キャリアの広帯域変調では、タイム・ドメイン等化器がこうしたチャネルに適さないことがある。それに対して、周波数ドメイン等化（ＦＤＥ：frequency domain equalization）を用いれば、こうした条件での、単一キャリアの広帯域変調が可能になり得る。ＦＤＥを用いた広帯域変調では、個々のシンボルのエネルギーが一般に、使用可能な周波数帯域全体に分散され、したがって、チャネル転送機能上の狭帯域ノイズまたは狭帯域ノッチが、エラー・レートに小さい影響しか及ぼさない。訓練なしでは、こうした減損がＯＦＤＭまたはＤＭＴに影響を及ぼすことがあるが、訓練すれば克服することができる。周波数選択チャネルの周波数における狭帯域ノイズまたはノッチの急速な時間変化は一般に、ＦＤＥを用いた広帯域変調のパフォーマンスには影響を与えないが、上記で述べた訓練を行ったとしても、ＯＦＤＭまたＤＭＴには影響を及ぼし得る。
【００３０】
高いＳＮＲでのスループットを最適化するために、変調方式は一般に、許容し得る誤り率をもたらす、１シンボル当たりの最大ビット数を用いて選択される。たとえば、減衰および／またはノイズが周波数の静的関数であり、減衰が一般に周波数に対して直線的に増加するチャネルでは、その結果、ＳＮＲが周波数の関数として減少する。この例では、単一キャリアの広帯域変調が使用される場合、結果のシンボル当たりビット数を用いた変調方式の選択、およびもたらされるスループットは妥協的なものになる。この例では、ＯＦＤＭまたはＤＭＴが使用される場合には、各サブチャネルごとの変調方式は、スループットを高くするために最適化することができ、それぞれのサブチャネルについて、１シンボル当たりのビット数が、周波数の関数として減少することがある。
【００３１】
しかし、ノイズおよび減衰が周波数の静的関数だけでなくそれ以外のものを含み、また周波数の選択に非常に影響されやすい場合は、ＯＦＤＭまたはＤＭＴ変調のパフォーマンスが前記で述べた理由のために損なわれることになり得る。各サブチャネルごとの変調方式が、ノイズおよび減衰の動的性を考慮せずに（account for）静的関数だけに基づいて選択された場合には、使用可能な帯域を完全に活用できていないことによって、ＯＦＤＭまたはＤＭＴを用いるのに使用可能な帯域が損なわれることがある。選択されたＯＦＤＭまたはＤＭＴ変調のパフォーマンスが周波数の動的関数としての別のノイズおよび／または減衰によって非常に影響を受けるようになるので、使用可能な帯域が損なわれることがある。周波数の動的関数としてのノイズおよび減衰によって、ＳＮＲが、静的関数だけに基づいて選択された選択済み変調方式がより高い周波数のサブチャネルにおいて適切に作用する（operative）状態を保つのに必要な閾値以下に減少する。
【００３２】
ノイズおよび減衰が、静的と動的の両方の関数として周波数によって変化する媒体では、ある最適な手法が２つの要素を含み得る。第１に、広帯域変調を使用して、動的かつ非常に選択的な周波数の関数としてノイズおよび／または減衰を取り扱い、使用可能な帯域を増加し、または最大にすることができる。第２に、周波数の静的な関数としてのノイズおよび／または減衰については、できるだけ多数のシンボル当たりビット数を用いる変調方式を使用して、スループットを最大にすることができる。これは、単一のキャリアではなく、たとえばＯＦＤＭまたはＤＭＴで使用されるおよそ１００から１０００ではなく、およそ２から１２の少数のキャリアでの広帯域変調によって実現される。たとえば、１０ＭＨｚチャネルでは、各キャリアを、ＯＦＤＭまたはＤＫＴの場合には数キロヘルツ離すのとは異なり、数メガヘルツ離して置くことができる。変調されたキャリア帯域上の静的関数のため、こうした数個のキャリアそれぞれについて、改善されたまたは最適な変調を選択して、所与のＳＮＲでの改善されたまたは最適なスループットを実現することができる。変調が広帯域で行われるため、一般に、こうした周波数選択的ノイズおよび減衰に対する耐性ができ、こうした周波数選択的ノイズおよび減衰の急速な時間変化を最適に取り扱うことができ、その結果、さらに広い使用可能帯域を使用できるようになる。
【００３３】
図１に、少なくとも２つのサブチャネルを含む広帯域変調を用いてデータを通信するための処理１００を示す。処理１００は一般に、少なくとも２つのサブチャネルを含む広帯域通信用の伝送媒体の静的コンポーネントを識別する（ステップ１１０）ことを含む。その静的コンポーネントについて、周波数に対するノイズおよび／または減衰の関数を決定する（ステップ１２０）。各サブチャネルごとに、決定された関数に基づいて広帯域変調方式を選択し（ステップ１３０）、広帯域変調方式をサブチャネルに適用し（ステップ１４０）、サブチャネルを介してデータ信号を伝達する（ステップ１４５）。データ信号は、データ、データ間隔、ノイズ、データ・フレーム、フレーム間の間隔およびプリアンブルを含み得る。
【００３４】
例示的な一実装では、伝送媒体を少なくとも２つの広帯域サブチャネルに分割する前に、広帯域通信用の伝送媒体の静的コンポーネントを識別することができる（ステップ１１０）。その静的コンポーネントについて、周波数に対するノイズおよび／または減衰の関数を決定する（ステップ１２０）。次いで、決定された関数に基づいて、サブチャネル用の広帯域変調方式をそれぞれ独立して選択し（ステップ１３０）、サブチャネルに適用し（ステップ１４０）、サブチャネルを介してデータ信号を伝達する（ステップ１４５）。
【００３５】
別の例示的な実装では、広帯域通信用の伝送媒体を少なくとも２つの広帯域サブチャネルに分けてから、それによってもたらされるサブチャネルについて、静的コンポーネントをそれぞれ独立して識別することができる（ステップ１１０）。こうした実装では、サブチャネルの静的コンポーネントについて、周波数に対するノイズおよび／または減衰の関数をそれぞれ独立して決定し（ステップ１２０）、次いで、その決定された関数に基づいて、サブチャネルの広帯域変調方式をそれぞれ独立して選択し（ステップ１３０）、サブチャネルに適用し（ステップ１４０）、そのサブチャネルを介してデータ信号を伝達する（ステップ１４５）。
【００３６】
別の例示的な実装では、使用可能な帯域上で、低頻度で測定される周波数に対するノイズおよび／または減衰の値に基づいて、周波数に対するノイズおよび／または減衰の関数を決定することができる（ステップ１２０）。低頻度で行われる測定時に、広帯域変調方式を選択することができ（ステップ１３０）、サブチャネルに適用し（ステップ１４０）、サブチャネルを介してデータ信号を伝達する（ステップ１４５）。低頻度の測定は、フレーム間隔よりも長い時間間隔で、不定期に行われる測定を含む。さらにまたは別法として、静的コンポーネントの周波数に対するノイズおよび／または減衰の関数を、ある期間で平均することによって、周波数に対するノイズまたは減衰の関数を決定することができる。
【００３７】
一実装では、サブチャネル間の直交性を改善または最適化するために、複数のサブチャネルまたは各サブチャネルごとに、広帯域変調方式をそれぞれ独立して選択することができる（ステップ１３０）。こうした変調された各キャリア（個々のサブチャネル）を他に対して干渉しない、またそれに直交する（たとえば、それぞれのキャリアが、１シンボル期間のサイクルの整数倍である）ようにすることができ、結果として生じる短いシンボルは、こうした個々のチャネルすべてを組み合わせることによってもたらされ得る。こうした手法によって、各キャリアごとの変調方式を改善または最適化することができ、たとえば周波数に対するノイズおよび減衰の静的関数に基づいて、必要とされる誤り率でのトータル・スループットを増加または最大にすることを実現する。また改善または最適化するには、最大総電力または電力スペクトル密度の制約を伴い得る。サブチャネル間の直交性を最適化するための例示的な変調方式には、オフセット直交振幅変調（ＯＱＡＭ：offset quadrature amplitude modulation）方式が含まれる。
【００３８】
例示的な一実装では、サブチャネル用の広帯域変調方式をそれぞれ独立して選択することができ（ステップ１３０）、その選択された変調方式を複数のデータ・フレームに適用することができる（ステップ１４０）。広帯域変調方式が静的コンポーネントに基づいて選択される場合（ステップ１３０）、静的コンポーネントに関して変化が確認されるまで、新しい変調方式を選択することはできない。したがって、変調方式が選択された（ステップ１３０）後は、こうした同じ変調方式を複数のデータ・フレームに適用することができる（ステップ１４０）。
【００３９】
広帯域通信用の伝送媒体の動的コンポーネントもやはり識別することができる（ステップ１５０）。一般に、動的コンポーネントは、周波数の関数として変化するノイズおよび／または減衰を含む。
【００４０】
動的および／または静的コンポーネントに基づいてフィルタを生成し、それを受信側の伝達されたデータ信号にかけることができる（ステップ１６０）。たとえば、一実装では、動的コンポーネントを使用して適応フィルタを生成し、伝達されたデータ信号にかけることができる。この適応フィルタは、チャネル・フィルタ、ノイズ・フィルタおよび／または周波数ドメイン等化器を含み得る。適応フィルタは、周波数に対するノイズおよび／または減衰の関数を平均することによって生成することができる。さらにまたは別法として、適応フィルタを、適応フィルタの要素をある期間で平均することによって生成することができる。こうした手法では、短いシンボル期間を保持し、変調された個々のキャリアそれぞれのエネルギーを、広いスペクトル上に分散することによって、非常に周波数選択的であり得る周波数に対するノイズおよび減衰の動的関数を用いてチャネルを最適に取り扱うことができる。
【００４１】
別の実装では、静的コンポーネントを使用して、フィルタを生成し、受信側の伝達されたデータ信号にかけることができる（ステップ１６０）。この適応フィルタは、チャネル・フィルタ、ノイズ・フィルタおよび／または周波数ドメイン等化器を含み得る。フィルタは、周波数に対するノイズおよび／または減衰の関数を平均することによって生成することができる。さらにまたは別法として、フィルタの要素をある期間で平均することによってフィルタを生成することができる。
【００４２】
選択された広帯域変調方式に基づいて、それぞれ独立した復調関数を、複数のサブチャネルのそれぞれに適用することができる（ステップ１７０）。それぞれ独立した復調関数を適用することが、各サブチャネルごとに別個の復調器を、および／または各サブチャネルごとに別個の復調アルゴリズムを用いることを含み得る。
【００４３】
図２は、減衰の急な曲線２１０のグラフ２００であり、減衰が周波数とともに高まり、高周波数では、減衰が高く（ＨＩＧＨ：higher attenuation）なっている。同様の特性が生じるシステムには、長距離電話配線が含まれ、その周波数に対する減衰は、周波数とともに高まる急な曲線になることがある。図示するように、電力スペクトル密度（ＰＳＤ：power spectral density）曲線２２０によって表す、単一チャネル２３０の広帯域変調では、変調２２０が、減衰曲線２１０の急勾配に十分に合っていない。たとえば、それぞれ異なる周波数チャネルに生じる減衰は一般に、ワイヤの長さに基づいてこのように変化する傾向がある。
【００４４】
図３に示すグラフ３００では、できるだけ広い帯域上で伝送媒体（電話配線など）の動的ノイズ特性に対処するために変調の広帯域特性を保持しながら、広帯域変調を保持するいくつかの別個のチャネル、３３０Ａ、３３０Ｂ、３３０Ｃ、３３０Ｄを選択し、対応する個々のチャネルの予想される減衰曲線３１０に応じて変調方式３２０Ａ、３２０Ｂ、３２０Ｃ、３２０Ｄを変更し（たとえば、最も複雑な変調を最も低い周波数チャネルに適用する）、その結果、できるだけ高いスループットを実現することによって、改善された通信がもたらされることが示されている。
【００４５】
図４は、時間経過に伴うノイズ振幅のグラフであり、知覚ＳＮＲ４１０が一定になっており、それによって、データ通信の速度が低下することがある。
図５は、時間経過に伴うノイズ振幅のグラフ５００であり、知覚ＳＮＲ５１０が、動的コンポーネント（動的ノイズ・コンポーネントなど）を識別し、動的コンポーネントに基づいて適応フィルタを生成し適用することによって動的に適応されている。この「オンザフライ」周波数ドメイン等化によって、データ通信速度が改善される。
【００４６】
図１に戻って参照すると、処理１００は、誤り訂正および／または誤り検出コードを選択する（ステップ１８０）ことをさらに含むことができる。順方向誤り訂正コードは一般に、特定のビット誤り率を実現するために送信されたデータに適用される。順方向誤り訂正（ＦＥＣ：forward error correction）は一般に、最悪の場合のチャネル条件に対処することができる誤り率を実現するように選択される。しかし、動的チャネルでは、ＦＥＣの訂正の限界を超える場合があり得る。この手法によって、シンボル長を短くし、処理の待ち時間を短くすることができるので、順方向誤り訂正と誤り検出の両方を組み込んだブロックからなる短いフレームにしてデータを送信することができ、それに対して受信側は、誤り検出コードを用いて、どのブロックがＦＥＣによって訂正されなかったかを判断して応答することができる。これによって、受信側から受信された応答によって判断される、ＦＥＣが訂正することができなかったいずれのブロックをも送信機から再送することによって、低レベルのリンク・プロトコルでの、ビット誤り率の低減を実現することができる。
【００４７】
さらに、再送が必要な場合（ステップ１８５）は、新しいデータに、以前に送信されたデータの再送に対する応答を付加することができる（ステップ１９５）。再送が必要な場合は、対向ノードへの再送を必要とするデータのブロックも同様に、対向ノードによって送信されたデータに対する応答とともに、新しいデータに付加することができる。「ピギーバック」応答を使用することによって、データを両方向に、より効率よく送信することができる。より具体的には、たとえば、新しいデータに、再送に対する応答と、受信されたデータが正確であったという応答の両方を付加することによって、送信側と受信側の間の様々な送信の数が減少するので、効率の向上を実現することができる。複数の広帯域チャネルを使用することによって可能になる（ｉ）ピギーバック応答と（ｉｉ）短いフレーム長および短い待ち時間の処理を組み合わせれば、こうした機能を組み込んだ通信システムでは、短い待ち時間の通信をアプリケーションに提供することが可能になる。以前に送信されたデータの再送に対する応答が必要ない場合は、送信済みのデータが正確であったことを示す応答を、新しいデータに付加して送信することができる（ステップ１９０）。
【００４８】
図６は、例示的なパラメータ・セットでの、動的に変化するビット誤り率（ＢＥＲ：bit error rates）に対するスループットを示す、例示的な表６００である。パラメータは、生ビット・レート（１００Ｍｂｐｓなど）を含むことができ、この生ビット・レートは一般に、ビット／秒で表される、通信パスを介してビットが伝送される速度である。ＦＥＣオーバヘッド（２：１など）は、ＦＥＣコードによって加えられるフレームの追加の冗長部分を含み、送信されたすべての情報と、送達のため提示された実際の情報の比率として表される。伝播遅延（１１．４３μｓなど）は、回線、リンク、ネットワークまたはシステム上のある点から他の点へ、信号を運ぶための時間を含む。ブロック・サイズ（ヘッダ、本体、ＣＲＣ）（２，６４，２など）は、通常バイトで表される、ＦＥＣ符号化の前のデータ・ブロックのサイズである。１フレーム当たりのブロック数（３２など）は、単一のフレーム内に含まれるデータ・ブロックの数を含む。ＢＥＲは、所与の任意の間隔におけるビット誤りの平均数と、その間隔におけるビットの総数の比率を含む。スループットは、指定された期間に伝達されるアプリケーション情報の平均速度を含む。スループットは、誤り制御符号化やプロトコル・オーバヘッドなど、システムがもたらすオーバヘッドを除外しているので、システムの性能指数として使用することができる。ポストＦＥＣ  ＢＥＲは、ＦＥＣ復号化が実施された後で受信されたビット・ストリームに適用されるビット誤り率を含む。
【００４９】
たとえば、ノイズが時間の経過に伴って著しく変化し得るときには、十分に高速というタイム・スケールに関する送信機訓練を信頼することはできない。従来の手法では、たとえば、１０−９またはそれ未満のＢＥＲなど、常に送達するために最悪の場合に備えて変調およびＦＥＣを使用しなければならず、それによってスループットが損なわれることになる。しかし、スループット向上のため、より複雑な変調、およびピギーバック応答を用いた低待ち時間ＡＲＱによって符号化オーバヘッドの低減を行いながら、ＦＤＥとＦＥＣの両方で短いフレームおよび短い待ち時間処理を用いて、ポストＦＥＣ  ＢＥＲの動的な変化によって、依然として最終的な１０−９またはそれ未満のＢＥＲを達成することができる。表６００に、所与のパラメータ・セットで、動的に変化するＢＥＲのもと、達成されるスループットの維持について示す。
【００５０】
図７に、図１〜６に関して上述した特徴を実施するために使用される、例示的な送信パス７００を示す。送信パス７００は一般に、プロセッサ７１０、誤り訂正および／または誤り検出エンコーダ７２０、１つまたは複数の変調装置７３０、周波数ドメイン整形フィルタ７４０、デジタル・アナログ変換機（ＤＡＣ）７５０、低パス・フィルタ７６０、および回線ドライバ７７０を含む。
【００５１】
プロセッサ７１０は、データ通信システムをユーザにインターフェイスさせる。それは、たとえばセグメント化や再組立てなどのの通信プロトコルを実行し、データをパケット化し、誤り検出コードによって判断された、不正確に受信されたデータ・ブロックを再送し、データ・ブロックが正確に受信されたか、それとも不正確に受信されたかを判断するための、ピギーバックＡＣＫやＮＡＫなどの応答（ＡＣＫまたはＮＡＫ）を送信する。アプリケーションおよびプロセッサに応じて、タスク・リストは、ＣＰＵによって実施されるのが適切と見なされるどんなタスクも含むことができる。
【００５２】
誤り訂正および／または誤り検出エンコーダ７２０は、データの符号化を実施する。たとえば、それは、誤り検出コードをデータ・ブロックに、またその後で、順方向誤り訂正（ＦＥＣ：forward error correcting）コードをブロック内のデータ・ワードに適用することができる。ＥＦＣコードの複雑さは、チャネルまたはサブチャネルの予想される品質（すなわち、チャネルまたはサブチャネルが、高い信号対ノイズ比（ＳＮＲ：signal-to-noise ratio）の特性を示す場合は、あるとしても単純なコードで十分である）、符号化のオーバヘッド、ならびに受信側の所望のシンボル誤り率（ＳＥＲ：symbol error rate）またはビット誤り率（ＢＥＲ：bit error rate）によって決まり得る。
【００５３】
プロセッサ７１０からエンコーダ７２０への入力は、１つまたは複数のビット・ストリームであり得る。ストリームは、１つのストリームとして符号化され、または各サブチャネルごとに別個の独立したストリームとしてセグメント化され次いで符号化されて、その後で変調装置７３０によって変調することができる。１ビット・ストリームだけを符号化する場合には、各サブチャネルごとの複数ストリームへのセグメント化を、サブチャネルを変調装置７３０に送信する前に実施することができる。より具体的には、複数ストリームへのセグメント化は、誤り検出コードを適用する前でも、誤り検出コードを適用した後で、かつ順方向誤り訂正コードを適用する前でも、誤り検出コードと順方向誤り訂正コードの両方を適用した後でも行うことができる。
【００５４】
各サブチャネルごとに決定される変調群／複雑度（ＢＰＳＫ、ＱＡＭ、ＱＡＭ８、ＱＡＭ１６、ＱＡＭ３２、ＱＡＭ６４、ＱＡＭ１２８、ＱＡＭ２５６、ＱＡＭ１０２４など）を用いて、各サブチャネルごとに、入力データ・ストリームを変調装置７３０によって変調する。次いで、変調されたストリームを組み合わせ／足し合わせ、周波数ドメイン整形フィルタ７４０に送信する。
【００５５】
周波数ドメイン整形フィルタ７４０を使用して、周波数帯の特定部分の放出を低減することができる。たとえば、送信された信号がアマチュア無線（ＨＡＭ）バンド、振幅変調（ＡＭ）バンド、また他のモデムにさえも干渉しないように、それにノッチを入れることができる。フィルタを使用して、送信された信号のＰＳＤを調整することができる。
【００５６】
ＤＡＣ７５０は、デジタル信号をアナログ波形に変換する。低パス・フィルタ７６０は、ＤＡＣ出力を平滑化し、不所望の高周波数帯を除去する。回線ドライバ７７０は、信号電力を送信に適したレベルにまで上昇させる。
【００５７】
図８に、図１〜６に関して上述した特徴を実施するために使用される例示的な受信パス８００を示す。受信パス８００は一般に、低パス・フィルタ８１０、アナログ・デジタル変換機（ＡＤＣ：analog digital converter）８２０、シンクロナイザ８３０、等化器８４０、１つまたは複数の復調装置８５０、誤り訂正および／または誤り検出デコーダ８６０、およびプロセッサ８７０を含む。
【００５８】
低パス・フィルタ８７０は、エイリアス除去フィルタの働きをする。ＡＤＣ８２０は、受信アナログ信号をデジタル信号に変換する。シンクロナイザ８３０は、受信されたデータ・フレームの先頭を判断する。さらに、それ８３０を使用して、受信位置で、適切なビット・タイミングを維持することができる。フレームが受信されたかどうかを判断するために、受信信号を、事前定義され格納された送信済みプリアンブルに互いに関連付けることができる。この処理は、合致が見られるまで繰り返すことができる。
【００５９】
たとえばチャネルとノイズ・フィルタの両方から構成される適応周波数ドメイン等化器などの等化器８４０を使用して、周波数ドメイン減衰を伴う雑音のある伝送チャネルを介して送信されたデータを回復する。等化器は、チャネルを分析し、チャネル・ノイズおよびチャネル減衰／歪みに適応するように設計することができる。等化器は、ノイズを低減または除去し、チャネル減衰／歪みを補正して、符号間干渉（ＩＳＩ：intersymbol interference）および／またはチャネル間干渉（ＩＣＩ：inter-channel interference）を低減または除去する。一実装では、等化器８４０を、２つのフィルタ、すなわちノイズ・フィルタおよびチャネル・フィルタを使用して構成することができる。代替手段として、組み合わせて使えるものとして、または最適なフィルタとして、こうした２つのフィルタの組合せを使用して、ウイナー・フィルタや別のフィルタを生成することができる。周波数ドメイン等化チャネルおよびノイズ・フィルタを構成することは、フレーム間ギャップ（ＩＦＧ：inter frame gap）、受信されたプリアンブル、および送信されたプリアンブルの１つまたは複数のサンプルを使用することを含むことができる。
【００６０】
復調装置８５０は、入力ストリームを受信し、入力ストリームをサブチャネルに再分割またはセグメント化し、次いでそれぞれのサブチャネルを復調する。復調装置８５０は、各サブチャネルの変調方式群（modulation constellation）を認識する。
【００６１】
使用される誤り訂正および検出デコーダ８６０について、図７の送信機に関して上記で説明している。復号化の処理およびストリームの再組立ては、送信機の構成によって決定される必要な順序およびシーケンスで行われる。
【００６２】
プロセッサ８７０は、データ通信システムをユーザにインターフェイスさせ、またデータ・ブロックが正確に受信されたか、それとも不正確に受信されたかに関して応答（ＡＣＫまたはＮＡＫ）を送信すべきかどうかを含めた、通信プロトコルを実行することができる。アプリケーションおよびプロセッサに応じて、タスク・リストは、ＣＰＵによって実施されるのが適切と見なされるどんな機能も含むことができる。
データは、受信され、復調され、復号化され、受信されたブロックからアプリケーション・データに再度組み立てられた後、ユーザに送信される。
【００６３】
図９に、データを通信するための処理９００を示す。処理９００は一般に、第１のチャネル上にある第１の送信機を使用して、第２の送信機による第２のチャネルを介した通信の状態を検出することを含む（ステップ９１０）。検出された状態に基づいて、第１送信機による送信を、第２送信機による送信と同期させる（ステップ９２０）。第１チャネルは、第１のワイヤを含むことができ、第２チャネルは、第１ワイヤと異なる第２ワイヤを含むことができる。通信の状態は、受信状態および送信状態を含む。一般に、処理９００は、フレーム・サイズが固定されている場合に適用することができる。
【００６４】
より具体的には、電話配線などの高クロストークを伴う媒体では、それぞれの送信機が、その送信を、他のチャネルの第１の検出送信による他のワイヤ・ペア上の送信に、ループの終端で同期させ、次いで、（受信が他のペア上の送信と同時に行われた場合に発生する受信に対するクロストーク効果を低減または除去するために）こうした送信と同時に行われるように同期させることができる。
【００６５】
図１０に、データを通信するための処理１０００を示す。この処理は、放出を低減する必要がある広帯域通信チャネルの周波数を識別する（ステップ１０１０）ことを含む。送信された信号に、デジタル周波数ドメイン・フィルタをかけ、識別された周波数の放出を低減することができる（ステップ１０２０）。例示的な一実装では、放出の低減が必要な周波数を、連邦通信委員会（ＦＣＣ：Federal Communications Commission）などの規制機関によって識別することができる。さらにまたは別法として、放出の低減が必要な周波数を、他の装置および通信への干渉を低減するために識別することができる。
【００６６】
より具体的には、広帯域変調では、ノッチを取り扱うことができるので、デジタル周波数ドメイン・フィルタをかけることによって、送信された信号に、厳密に配置された複数のノッチを適用して、周波数帯の特定部分における放出を低減し、それによって、アマチュア無線バンドなど複数の既存ＲＦ送信への干渉を最小限に抑えることができる。
【００６７】
前述のシステム、方法および技術を、デジタル電子および／またはアナログ回線、コンピュータ・ハードウェア、ファームウェア、ソフトウェアまたこうした要素の組合せで実装することができる。こうした技術を実施する装置は、適切な入力および出力装置、コンピュータ・プロセッサ、ならびにプログラマブルなプロセッサによる実行のためマシン読取り可能な記憶装置に有形に実装されたコンピュータ・プログラム・プロダクトを含み得る。こうした技術を実施するプロセスは、入力データに作用し、適切な出力を生成することによって所望の機能を実行するための命令のプログラムを実行するプログラマブルなプロセッサによって実施することができる。こうした技術は、データおよび命令を受信し、データおよび命令を送信するために、データ記憶システム、少なくとも１つの入力装置、および少なくとも１つの出力装置に結合された少なくとも１つのプログラマブルなプロセッサを含むプログラマブルなシステム上で実行可能な１つまたは複数のコンピュータ・プログラムで実施することができる。それぞれのコンピュータ・プログラムは、高水準な手続き型またはオブジェクト指向のプログラミング言語でも、所望であればアセンブリまたはマシン言語でも実装することができ、いずれの場合にも、言語は、コンパイルされた、またはインタープリットされた言語であり得る。例を挙げると、適切なプロセッサには、汎用と特殊目的の両方のマイクロプロセッサが含まれる。一般に、プロセッサは、読出し専用メモリおよび／またはランダム・アクセス・メモリから命令およびデータを受信する。コンピュータ・プログラム命令およびデータを有形に実装するのに適した記憶装置には、例を挙げると、消去可能プログラマブル読取り専用メモリ（ＥＰＲＯＭ：erasable programmable read-only memory）、電気的消去可能プログラマブル読取り専用メモリ（ＥＥＰＲＯＭ：electrically erasable programmable read-only memory）、フラッシュ・メモリ装置などの半導体メモリ・デバイス、内部ハード・ディスク、取出し可能ディスクなどの磁気ディスク、光磁気ディスク、およびコンパクト・ディスク読出し専用メモリ（ＣＤ−ＲＯＭ：compact disc read-only memory）を含めた、すべての形態の揮発性メモリが含まれる。前記のいずれも特定用途向け集積回路（ＡＳＩＣ：application-specific integrated circuit）によって補完し、またはそれに組み入れることができる。
【００６８】
特許請求の範囲の精神および範囲から逸脱せずに、様々な修正を行うことができることが理解されよう。たとえば、開示した技術のステップが異なる順序で実施される場合、および／または開示したシステムのコンポーネントが別のやり方で組み合わされ、かつ／または他のコンポーネントによって置き換えられ、または補完される場合でも、有利な結果をやはり得ることができる。したがって、他の実装は、以下の特許請求の範囲の範囲内に含められる。
【図面の簡単な説明】
【００６９】
【図１】データを通信するための例示的な処理のフローチャートである。
【図２】例示的な周波数に対する減衰曲線、および広帯域変調の単一チャネルを示すグラフである。
【図３】例示的な周波数に対する減衰曲線、および広帯域変調の複数チャネルを示すグラフである。
【図４】一定の知覚ＳＮＲを伴う、時間に対するノイズ振幅の例示的な曲線を示すグラフである。
【図５】動的に適応されたＳＮＲを伴う、時間に対するノイズ振幅の例示的な曲線を示すグラフである。
【図６】例示的なパラメータ・セットでの動的に変化するビット誤り率（ＢＥＲ）に対するスループットを示す表である。
【図７】例示的な送信パスのブロック図である。
【図８】例示的な受信パスのブロック図である。
【図９】データを通信するための例示的な処理のフローチャートである。
【図１０】データを通信するための例示的な処理のフローチャートである。
【図１】
2005531163.tif 000003
【図２】
2005531163.tif 000004
【図３】
2005531163.tif 000005
【図４】
2005531163.tif 000006
【図５】
2005531163.tif 000007
【図６】
2005531163.tif 000008
【図７】
2005531163.tif 000009
【図８】
2005531163.tif 000010
【図９】
2005531163.tif 000011
【図１０】
2005531163.tif 000012
【国際調査報告】
2005531163.tif 000013
2005531163.tif 000014
2005531163.tif 000015